(57)【要約】【課題】  各家庭で、飼育している犬猫等の排泄物を、室内外に於いて処置できる便利な収納具と、ロール形のトイレットテイシューペーパーを提供する。【解決手段】  犬猫等の、排泄物の処置に使用する、身近にあって便利な物に、テイシューペーパーがある。併し、水洗トイレでは、排泄物と一緒に流す事は出来ない。となると、トイレットテイシューペーパーは大丈夫である。でも、従来のロール形のトイレットテイシューペーパーは、トイレに取付けてある固定具から、ロールを回転させながら、剥ぎ取る様にして使用するように出来ていると思われる。故に、排泄物の処置に使用する為には、トイレまで行き、必要分だけ剥ぎ取り処置等に使用しなくてはならない。本発明は、ロール型のトイレットテイシューペーパーの外側面に、従来に無い厚紙を設け、中央部分にあった厚紙芯を無くして収納具に納め、その中央部分から引っ張り出し、素早く排泄物の処置出来るを特徴とする。【選択図】  図１
2005027633.tif 000002
【特許請求の範囲】
【請求項１】
多くの家庭に於いて、犬猫等の動物を家族の一人として飼育している。しかし、動物である以上人間と同じで、毎日大小便は必ず排泄の整理現象として当然の事である。特に室内外等で飼育している動物の排泄物は、否でも飼主又は同居する人間が処置しなくてはならない。故に飼育している動物の排泄物の処置等に用いる為の、トイレットテイシューペーパー用収納具と、厚紙を外側に取り付けたトイレットテイシューペーパーをセットにして、室内外に用いるを提供するものである。
【発明の詳細な説明】
【発明の詳細な説明】
【発明に属する技術分野】
【０００１】  本発明は、飼育している動物の排泄物を、処置等に用いる用具の中の一つに、テイシューペーパーがある。身近にあり便利である故、多くの人が利用し使用していると思われる。しかし、実際にあって、テイシュペーパーを使用した場合には、水洗トイレで、動物の排泄物を水といっしょに流すことは出来ない。そこで、トイレットテイシューペーパーを、トイレの中に取り付けてある固定器具から、必要分だけ処置する為に外し、使用していると思われる。でも実際には、誰かが、トイレを使用していたり、処置に急を要する場合に間に合わず不便である。そのために（１）室内：ロール形のトイレットテイシューペーパーの外側に、厚紙を設け、中心にある従来の厚紙芯を無くした、トイレットテイシューペーパーを、室内の身近な収納具の中に備え置き、中央芯の無くした部分から引っ張り取り出して使用すれば、手早く取り出せ又、最後まで取り出しても、円形が崩れることなく使用でき便利と思われる。（２）室外：散歩や外室畤に、常時、従来のロール型程の大きさのトイレットテイシューペーパーは、使用回数が少ないと思われ必要ない。したがって、収納具とロール型を細くコンパクトにして、収納具（図２）−２の、肩から紐で吊して、携帯用とし使用すれば便利と思われる。
【背景技術】
【０００２】  従来は、一般住宅、マンション、アパート等で、動物の排泄物等の処置はどうしているだろう。例えば、排泄物をテイシューペーパー、ウエットテッシュ、トイレットテイシューペーパー等で包み、ゴミ袋に入れてゴミ収集日に出したり又、トイレ処置の場合、水洗トイレであれば、トイレットテイシューペーパー等、水で流しても良い物で処理して流し、扱み取り式であれば、室内に備えてあるテイシューペーパーか等を、使用して処置していると思われる。
【発明が解決しようとする課題】
【０００３】  本発明は、従来の動物の排泄物の処置は、テイシューペーパーか、ウエットテイッシュ以外に高価と感じても、手軽な方法が無いので、従来の技術で仕方の無い事と思われる。しかし、水洗トイレで流せないとなると、ロール形のトイレットテイシューペーパーが手頃で、金銭的にも安く便利と考えられる。でも、ロール形のトイレットテイシューペーパーを、室内のどこかに備え置きし、いざ使用しようとして、ロール形の外側から剥がしながら引っ張っても、トイレにあるような、固定器具に取付けてない為に、トイレットテイシューペーパー本体が、２〜３ｍも遠くに回転して、長い帯状の吹き流し状態になってしまうことが多い。そこで、本発明は絶えず身の回りにあって、急を用しても手早く、ロール形のトイレットテイシューペーパーが、収納具から取り出し使用出来るを提供するものである。
【課題を解決するための手段】
【０００４】  本発明は、ロール形のトイレットテイシューペーパーを、収納具（図２）−２に入れるだけで、簡単に収納し使用出来るのである。だが、素早く使用する時、従来の外側からの剥がしでは、使用回数が増えるたびに、だんだんとロール状が細くなってしまう。その為に、ロールの形が崩れ、ガタガタ動きだし剥がれなくなると思われる。では、ロール状が細くならず、ガタガタ動かなくなる方法はないだろうか。そこで、トイレットテイシューペーパーの従来に無い厚紙を、外側に、取付たらどうだろう。そして、従来の中心に取付けてある厚紙芯を無くし、その中心部分から、剥がして引っ張り出し使用するのである。故に、ロール状の外側の厚紙がしっかりしていれば、最後までトイレットテイシューペーパーは、収納具から取り出せると思われる。
【発明を実施するための最良の形態】
【０００５】  本発明の、トイレットテイシューペーパーの形態と、収納具の一実施例を説明する。
その前に、トイレットテイシューペーパーの外側に厚紙を設け、従来の中央部分にあった厚紙芯を無くした、トイレットテイシューペーパーの形態と収納具を参照図にしての一実施例を簡単な図面と共に説明する。
【図面の簡単な説明】
【図１】（１）トイレットテイシューペーパー側面図。１は、そのロール形の巻紙本体。１Ａは、その巻紙本体平面切断面。１Ｂは、その１Ａと同じ対面部。（２）は、その（１）の断面図。１Ｃは、その外側厚紙。１Ｄは、その芯のない空洞部分。（３）は、（１）（２）の斜視図。
【図２】（４）収納具側面。２は、その収納胴体。２Ａは、その上部。２Ｂは、その底部。８Ａは、その紐リング固定具（胴体と接続）。３Ｂは、その紐取付けリング。（５）は、その収納具に、図１のトイレットテイシューペーパー収納断面図。（６）は、その取り出し図。３Ｃは、その取り出し。３Ｄは、その紐３Ｂに取付け図。
【図３】（７）は、その（４）の斜視図。（８）は、その（５）の斜視図。（９）は、その（６）の斜視図。（１０）は、そのロール型巻紙本体の平面断面図。
【図４】（１０）（１１）は、その３Ａ、３Ｂの側面図。３Ｂ−１は、その３Ｂの延芯。（１２）は、その３Ｂの上下半回転図。
【発明の効果】
【０００６】本発明の、室内外用排泄物処置具を使用した場合（Ａ）室内に於いては、排泄物の処置に必要なトイレットテイシューペーパーを、素早く取り出す事が出来る。（Ｂ）室外に於いては、携帯用として収納具を紐で吊し肩から身の回りに付け、トイレットテイシューペーパーを収納して、持ち歩くことが出来る。
【符号の説明】
１    トイレットテイシューペーパー側面
１Ａ  １の平面
１Ｂ  １Ａの対面
１Ｃ  トイレットテイシューペーパー外側厚紙
１Ｄ  芯のない空洞部分
２    収納具側面
２Ａ  収納具の上部縁
２Ｂ  収納具のの底面
３    収納具の斜視図
３Ａ  紐リング固定具
３Ｂ  紐リング取付け接続
３Ｂ−１  ３Ｂの延芯
３Ｃ  トイレットテイシューペーパー取り出し
３Ｄ  紐３Ｂ取付け
【図１】
2005027633.tif 000003
【図２】
2005027633.tif 000004
【図３】
2005027633.tif 000005
【図４】
2005027633.tif 000006